(57)【要約】【課題】簡素な構造で容易に製造できる調光装置を提供する。【解決手段】調光装置４３は、入射光束の光量を調整する。この調光装置４３は、入射光束の光軸Ａに沿って延出し、光軸Ａを中心として回動する軸部材４３１１と、所定方向に延出する板状に形成され、板面にて入射光束を遮光する複数の遮光部材４３１３とを備える。複数の遮光部材４３１３は、軸部材４３１１に対して、光軸Ａを中心とする回転方向に沿って各一端がそれぞれ取り付けられている。【選択図】図２
2009075216.tif 000002
【特許請求の範囲】
【請求項１】
入射光束の光量を調整する調光装置であって、
前記入射光束の光軸に沿って延出し、前記光軸を中心として回動する軸部材と、
所定方向に延出する板状に形成され、板面にて前記入射光束を遮光する複数の遮光部材とを備え、
前記複数の遮光部材は、
前記軸部材に対して、前記光軸を中心とする回転方向に沿って各一端がそれぞれ取り付けられている
ことを特徴とする調光装置。
【請求項２】
請求項１に記載の調光装置において、
前記軸部材に沿って移動する移動部材を備え、
前記複数の遮光部材は、
可撓性を有する材料で構成され、前記移動部材に対して、各他端がそれぞれ取り付けられている
ことを特徴とする調光装置。
【請求項３】
請求項２に記載の調光装置において、
前記複数の遮光部材は、
延出方向略中央部分から両端部にかけて幅寸法が小さくなるように形成されている
ことを特徴とする調光装置。
【請求項４】
光源装置と、前記光源装置から射出された光束を変調する光変調装置と、前記光変調装置にて変調された光束を拡大投射する投射光学装置とを備えたプロジェクタであって、
請求項１から請求項３のいずれかに記載の調光装置を備えている
ことを特徴とするプロジェクタ。
【発明の詳細な説明】
【技術分野】
【０００１】
本発明は、調光装置、およびプロジェクタに関する。
【背景技術】
【０００２】
従来、光源装置と、光源装置から射出された光束を画像情報に応じて変調して画像光を形成する光変調装置と、画像光を拡大投射する投射光学装置とを備えたプロジェクタが知られている。
このようなプロジェクタにおいて、投影画像のコントラスト向上等を目的として、光源装置から射出され光変調装置に入射する光束の光量を調整するために、光源装置から射出された光束の光量を調整する調光装置を備えたプロジェクタが提案されている（例えば、特許文献１参照）。
特許文献１に記載の調光装置は、照明光軸に対して対称配置される一対の遮蔽部材と、一対の遮蔽部材を回動可能に軸支する回動軸と、一対の遮蔽部材に係合し一対の遮蔽部材を回動させる駆動機構と、回動軸、一対の遮蔽部材、および駆動機構をそれぞれ支持して一体化する固定部材とを備えている。そして、一対の遮蔽部材を回動させることで、入射光束を部分的に遮光して、光源装置から射出された光束の光量を調整している。
【０００３】
【特許文献１】特開２００７−７１９１３号公報
【発明の開示】
【発明が解決しようとする課題】
【０００４】
しかしながら、特許文献１に記載の調光装置では、一対の遮蔽部材、回動軸、駆動機構、および固定部材で構成する必要があるため、部品点数が増加し、構造が複雑化してしまう、という問題がある。
【０００５】
本発明の目的は、簡素な構造で容易に製造できる調光装置、およびプロジェクタを提供することにある。
【課題を解決するための手段】
【０００６】
本発明の調光装置は、入射光束の光量を調整する調光装置であって、前記入射光束の光軸に沿って延出し、前記光軸を中心として回動する軸部材と、所定方向に延出する板状に形成され、板面にて前記入射光束を遮光する複数の遮光部材とを備え、前記複数の遮光部材は、前記軸部材に対して、前記光軸を中心とする回転方向に沿って各一端がそれぞれ取り付けられていることを特徴とする。
本発明では、調光装置は、上述したように構成された軸部材および複数の遮光部材を備える。このことにより、光軸を中心として軸部材を回動させた場合には、軸部材とともに複数の遮光部材も回動し、複数の遮光部材に対して光軸から離間する方向に遠心力が加わることとなる。そして、複数の遮光部材は、各一端が軸部材に取り付けられているため、遠心力によって、各他端側が軸部材から離間する方向に移動することとなる。すなわち、光軸に沿う方向から調光装置を見た場合には、光軸を中心として、各遮光部材が放射状に配置されることとなる。このため、入射光束は、その一部が複数の遮光部材の各板面に照射され遮光される。
一方、軸部材の回動を停止した場合には、複数の遮光部材に加わる遠心力が略０となる。このため、複数の遮光部材は、例えば、その自重や各一端と軸部材との取付部分の弾性力等により、各他端側が軸部材に近接する位置に再度、配置される。このため、入射光束は、その大部分が複数の遮光部材にて遮光されることなく、調光装置を通過する。
以上のように、軸部材の回動状態を適宜、変更することで、入射光束の光量を調整できる。
また、本発明の調光装置によれば、従来の構成のように部品点数が増加することなく、少ない部品点数で構成でき、簡素な構造で容易に製造できる。
【０００７】
本発明の調光装置では、前記軸部材に沿って移動する移動部材を備え、前記複数の遮光部材は、可撓性を有する材料で構成され、前記移動部材に対して、各他端がそれぞれ取り付けられていることが好ましい。
本発明では、複数の遮光部材は、可撓性を有する材料で構成されている。そして、調光装置は、上述したように構成された移動部材を備える。このことにより、軸部材を回動させた場合には、複数の遮光部材は、遠心力によって、移動部材を軸部材に沿って移動させながら、軸部材および移動部材にて支持されていない略中央部分が光軸から離間するように屈曲する。すなわち、光軸に沿う方向から調光装置を見た場合には、上記同様に、光軸を中心として放射状に配置されることとなる。このため、入射光束は、その一部が複数の遮光部材の各板面に照射され遮光される。
一方、軸部材の回動を停止した場合には、複数の遮光部材は、屈曲時における弾性力により、移動部材を軸部材に沿って上述した方向とは逆方向に移動させながら、略中央部分が光軸に近接するように復元する。このため、入射光束は、その大部分が複数の遮光部材にて遮光されることなく、調光装置を通過する。
以上のように、複数の遮光部材の両端部を軸部材（移動部材）に対して接続した状態で、入射光束の光量を調整できるので、軸部材の回動を停止した場合において、各遮光部材の他端側が所望の位置からずれ、入射光束を遮る位置に移動することを回避できる。
【０００８】
本発明の調光装置では、前記複数の遮光部材は、延出方向略中央部分から両端部にかけて幅寸法が小さくなるように形成されていることが好ましい。
本発明によれば、複数の遮光部材が上述したような形成されているので、軸部材および移動部材に対して、光軸を中心とする回転方向に沿って、各遮光部材を取り付ける作業を容易とする。また、各遮光部材の略中央部分の幅寸法が比較的に大きく形成されているので、例えば、遮光部材の幅寸法を延出方向略中央部分から両端部にかけて同一となるように形成した場合と比較して、複数の遮光部材による遮光面積を大きくとることができる。このため、例えば、調光装置をプロジェクタ等に搭載すれば、投影画像のコントラスト比をより向上できる。
【０００９】
本発明のプロジェクタは、光源装置と、前記光源装置から射出された光束を変調する光変調装置と、前記光変調装置にて変調された光束を拡大投射する投射光学装置とを備えたプロジェクタであって、上述した調光装置を備えていることを特徴とする。
本発明によれば、プロジェクタは、上述した調光装置を備えているので、上述した調光装置と同様の作用および効果を享受できる。
【００１０】
ところで、従来の調光装置は、光軸から離間した外側の光束を遮光するものであり、一対の遮蔽部材を回動することで、外側から光軸に近接する内側へ光束を徐々に遮光していくものである。このため、従来の調光装置をプロジェクタに搭載した場合には、以下の問題が生じてしまう。
従来の調光装置にて入射光束を遮光した場合には、光軸から離間した外側の光束が遮光されるため、光軸に近接する内側の光束が調光装置を通過し、光変調装置に照射されることとなる。言い換えれば、入射光線の開き角が小さい状態（入射光線の平行性が良い状態）で光変調装置に光束が照射されることとなる。また、光変調装置の光路後段に配設される投射光学装置（投射レンズ）にも同様な状態で光束が取り込まれる。このため、投射レンズに取り込まれる入射光線の開き角が小さくなることで、投射レンズの焦点深度が深くなり、深くなった分だけバックフォーカス位置近傍に位置する物体の像が投影画像内に映り込むこととなる。したがって、バックフォーカス位置に配設される光変調装置の外面に塵埃等が付着している場合には、塵埃等の像が投影画像内に映り込み、投影画像を良好に維持できない。
【００１１】
本発明によれば、調光装置は、光軸から離間した外側の光束を遮光するものではなく、上述したように、光軸に近接した内側から外側にかけて放射状に配置した各遮光部材にて入射光束を遮光するように構成されている。このことにより、調光装置により入射光束の光量を調整する際に、投射光学装置に取り込まれる入射光線の開き角が小さくなることがなく投射光学装置の焦点深度を略同一の状態とし、例えば、光変調装置の外面に塵埃等が付着している場合であっても、塵埃等の像が投影画像内に映り込むことがなく投影画像を良好に維持できる。
【発明を実施するための最良の形態】
【００１２】
以下、本発明の実施の一形態を図面に基づいて説明する。
〔プロジェクタの構成〕
図１は、プロジェクタ１の概略構成を模式的に示す図である。
プロジェクタ１は、光源から射出される光束を画像情報に応じて変調してカラー画像（画像光）を形成し、このカラー画像をスクリーン（図示略）に拡大投射して投影画像を表示させる。このプロジェクタ１は、図１に示すように、略直方体状の外装筐体２と、投射光学装置としての投射レンズ３と、光学ユニット４等を備える。
なお、図１において、具体的な図示は省略したが、外装筐体２内において、投射レンズ３および光学ユニット４以外の空間には、プロジェクタ１内部の各構成部材を冷却する冷却ファン等を備えた冷却ユニット、プロジェクタ１内部の各構成部材に電力を供給する電源ユニット、およびプロジェクタ１内部の各構成部材を制御する制御装置等が配置されるものとする。
【００１３】
外装筐体２は、プロジェクタ１の天面、前面、背面、および側面をそれぞれ構成するアッパーケースおよびプロジェクタ１の底面、前面、背面、および側面をそれぞれ構成するロアーケース等で構成される。そして、各ケースは、互いにねじ等で固定されている。
投射レンズ３は、複数のレンズを組み合わせた組レンズとして構成され、光学ユニット４にて形成されたカラー画像をスクリーン上に拡大投射する。
【００１４】
光学ユニット４は、前記制御装置による制御の下、光源から射出された光束を光学的に処理して画像信号に対応したカラー画像を形成するユニットである。この光学ユニット４は、図１に示すように、光源装置４１と、照明光学装置４２と、調光装置４３と、偏光ビームスプリッタ４４と、光学装置４５等を備える。
光源装置４１は、図１に示すように、光源ランプ４１１およびリフレクタ４１２を備える。光源ランプ４１１から射出された光束は、リフレクタ４１２によって射出方向が揃えられ、照明光学装置４２に向けて射出される。
【００１５】
照明光学装置４２は、図１に示すように、反射ミラー４２１、第１レンズアレイ４２２、第２レンズアレイ４２３、偏光変換素子４２４、重畳レンズ４２５、およびフィールドレンズ４２６を備える。そして、光源装置４１から射出された光束は、反射ミラー４２１にて略９０°偏向した後、第１レンズアレイ４２２によって複数の部分光束に分割され、第２レンズアレイ４２３の近傍で結像する。第２レンズアレイ４２３から射出された各部分光束は、その中心軸（主光線）が偏光変換素子４２４の入射面に垂直となるように入射し、偏光変換素子４２４にて略１種類の直線偏光光として射出される。偏光変換素子４２４から直線偏光光として射出され、重畳レンズ４２５を介した複数の部分光束は、フィールドレンズ４２６によって前記中心軸に対して略平行な光束に変換された後、光学装置４５の後述する３枚の反射型液晶パネル４５２上で重畳する。
【００１６】
調光装置４３は、図１に示すように、調光装置本体４３１と、前記制御装置による制御の下、調光装置本体４３１を光源装置４１から射出された光束が辿る照明光軸Ａを中心として回動させるモータ４３２とを備える。そして、具体的には後述するが、調光装置本体４３１の回動時における遠心力により、複数の遮光部材が照明光軸Ａから離間する方向に屈曲し、該複数の遮光部材によって光源装置４１から射出された光束の光量を調整する。
なお、調光装置本体４３１の具体的な構成については、後述する。
【００１７】
偏光ビームスプリッタ４４は、図１に示すように、２つの直角プリズムを貼り合わせた平面視略正方形状をなし、直角プリズム同士を貼り合わせた界面には、偏光分離膜が形成されている。そして、照明光学装置４２から射出された光束（偏光変換素子４２４で揃えられた偏光方向と略同一の偏光方向を有する直線偏光光）は、偏光分離膜にて光学装置４５に向けて反射される。また、光学装置４５の後述する３枚の反射型液晶パネル４５２にて変調された光束（前記偏光方向に直交する偏光方向を有する直線偏光光）は、偏光分離膜を透過し、投射レンズ３に向う。
【００１８】
光学装置４５は、入射した光束を画像情報に応じて変調して画像光（カラー画像）を形成するものである。この光学装置４５は、図１に示すように、クロスダイクロイックプリズム４５１と、３枚の光変調装置としての反射型液晶パネル４５２（赤色光側の反射型液晶パネルを４５２Ｒ、緑色光側の反射型液晶パネルを４５２Ｇ、青色光側の反射型液晶パネルを４５２Ｂとする）とを備える。
クロスダイクロイックプリズム４５１は、図１に示すように、４つの直角プリズムを貼り合わせた平面視略正方形状をなし、直角プリズム同士を貼り合わせた界面には、２つの誘電体多層膜が形成されている。そして、偏光ビームスプリッタ４４から射出された光束は、緑色光成分が２つの誘電体多層膜を透過し、赤色光成分および青色光成分が２つの誘電体多層膜にてそれぞれ反射され、分離された赤、緑、青色光が各反射型液晶パネル４５２Ｒ，４５２Ｇ，４５２Ｂにそれぞれ入射する。また、各反射型液晶パネル４５２Ｒ，４５２Ｇ，４５２Ｂにて反射された各色光は、上記同様に２つの誘電体多層膜を透過または反射し、合成されてカラー画像として偏光ビームスプリッタ４４に射出される。
【００１９】
３つの反射型液晶パネル４５２は、シリコン基板上に液晶が形成されたいわゆるＬＣＯＳ(Liquid Crystal On Silicon)で構成されている。そして、３つの反射型液晶パネル４５２は、前記制御装置からの駆動信号に応じて、前記液晶の配向状態が制御され、クロスダイクロイックプリズム４５１から射出された各色光（直線偏光光束）の偏光方向を変調し、クロスダイクロイックプリズム４５１に向けて反射する。
【００２０】
〔調光装置本体の構成〕
図２および図３は、調光装置本体４３１の構造を模式的に示す図である。具体的に、図２（Ａ）は、モータ４３２が駆動し、軸部材４３１１が回動した状態を示す図である。図２（Ｂ）は、モータ４３２の駆動が停止し、軸部材４３１１の回動が停止した状態を示す図である。図３は、図２（Ａ）の状態を照明光軸Ａに沿う方向から見た図である。
調光装置本体４３１は、図１に示すように、第１レンズアレイ４２２および第２レンズアレイ４２３の間に配設され、第１レンズアレイ４２２から第２レンズアレイ４２３に向う光束の光量を調整する。この調光装置本体４３１は、図１または図２に示すように、軸部材４３１１と、移動部材４３１２と、複数（本実施形態では１２枚）の遮光部材４３１３とを備える。
【００２１】
軸部材４３１１は、図１または図２に示すように、照明光軸Ａに沿って延出する略円柱状の部材であり、柱状軸が照明光軸Ａに一致するように配設される。そして、軸部材４３１１は、図１に示すように、照明光軸Ａを辿る光路前段側の一端が第１レンズアレイ４２２および反射ミラー４２１を貫通した状態で、モータ４３２に支持されている。
移動部材４３１２は、図１または図２に示すように、軸部材４３１１を挿通可能とする略円筒状部材で構成され、軸部材４３１１に沿って移動する。
【００２２】
図４は、遮光部材４３１３の形状を模式的に示す図である。
複数の遮光部材４３１３は、略同一の形状を有し、図２ないし図４に示すように、所定方向に延出する板状に形成され、板面にて入射光束を遮光する部材である。また、遮光部材４３１３は、図４に示すように、延出方向略中央部分から両端部にかけて幅寸法が小さくなるように形成されている。
そして、複数の遮光部材４３１３は、図１ないし図３に示すように、照明光軸Ａを中心とする回転対称位置に各一端が軸部材４３１１にそれぞれ取り付けられるとともに、各他端が移動部材４３１２にそれぞれ取り付けられている。
ここで、上述した各遮光部材４３１３は、遮光性を有し、かつ、可撓性を有する材料から構成されている。
【００２３】
以上のような構成により、前記制御装置による制御の下、モータ４３２が駆動し、軸部材４３１１が照明光軸Ａを中心として回動した場合には、軸部材４３１１とともに複数の遮光部材４３１３も回動し、複数の遮光部材４３１３に照明光軸Ａから離間する方向（図２（Ａ）中の矢印Ｒ１）に遠心力が加わる。このため、複数の遮光部材４３１３は、図２（Ａ）に示すように、移動部材４３１２を軸部材４３１１に沿って矢印Ｒ２方向に移動させながら、軸部材４３１１および移動部材４３１２にて支持されていない略中央部分が照明光軸Ａから離間するように屈曲する。そして、複数の遮光部材４３１３は、回動時に加わる遠心力と、屈曲時における弾性力とが平衡した際に、屈曲状態が維持される。
この状態において、複数の遮光部材４３１３は、図３に示すように、照明光軸Ａを中心として放射状に配置される。そして、第１レンズアレイ４２２から射出された光束は、その一部が複数の遮光部材４３１３に照射され遮光される。
【００２４】
なお、軸部材４３１１の回動速度によって、複数の遮光部材４３１３に加わる遠心力の大きさが異なり、複数の遮光部材４３１３の屈曲状態、すなわち、図３に示すように照明光軸Ａに沿う方向から見た場合での照明光軸Ａからの複数の遮光部材４３１３の突出寸法が異なるものである。このため、軸部材４３１１の回動速度によって、複数の遮光部材４３１３による遮光量（調光量）が異なるものである。そして、前記制御装置は、モータ４３２を駆動制御して、軸部材４３１１の回動速度を適宜、制御することで、複数の遮光部材４３１３による調光量を調整している。
【００２５】
また、前記制御装置による制御の下、モータ４３２の駆動が停止し、軸部材４３１１の回動が停止した場合には、複数の遮光部材４３１３に加わる遠心力が略０となる。このため、複数の遮光部材４３１３は、図２（Ｂ）に示すように、屈曲時における弾性力により、移動部材４３１２を軸部材４３１１に沿って矢印Ｒ２とは逆の矢印Ｒ３方向に移動させながら、略中央部分が照明光軸Ａに近接するように復元する。
この状態においては、第１レンズアレイ４２２から射出された光束は、その大部分が複数の遮光部材４３１３に照射されることなく第２レンズアレイ４２３に向う。
【００２６】
上述した実施形態によれば、以下の効果がある。
本実施形態では、調光装置４３は、軸部材４３１１および複数の遮光部材４３１３を備える。このことにより、軸部材４３１１の回動状態を適宜、制御することで、入射光束の光量を調整できる。
また、調光装置４３として、従来の構成のように部品点数が増加することなく、少ない部品点数で構成でき、簡素な構造で容易に製造できる。
【００２７】
また、複数の遮光部材４３１３は、可撓性を有する材料で構成されている。そして、調光装置４３は、移動部材４３１２を備える。このことにより、複数の遮光部材４３１３の両端部を軸部材４３１１（移動部材４３１２）に対して接続した状態で、入射光束の光量を調整できるので、軸部材４３１１の回動を停止した場合において、各遮光部材４３１３の他端側が所望の位置からずれ、入射光束を遮る位置に移動することを回避できる。
【００２８】
ここで、複数の遮光部材４３１３は、延出方向略中央部分から両端部にかけて幅寸法が小さくなるように形成されている。このことにより、軸部材４３１１および移動部材４３１２に対して、照明光軸Ａを中心とする回転対称位置に各遮光部材４３１３を取り付ける作業を容易とする。また、例えば、遮光部材の幅寸法を延出方向略中央部分から両端部にかけて同一となるように形成した場合と比較して、複数の遮光部材４３１３による遮光面積を大きくとることができる。このため、投影画像のコントラスト比をより向上できる。
【００２９】
そして、調光装置４３は、照明光軸Ａから離間した外側の光束を遮光するものではなく、照明光軸Ａに近接した内側から外側にかけて放射状に配置した各遮光部材４３１３にて入射光束を遮光するように構成されている。このことにより、調光装置４３により入射光束の光量を調整する際に、投射レンズ３に取り込まれる入射光線の開き角が小さくなることがなく投射レンズ３の焦点深度を略同一の状態とし、例えば、反射型液晶パネル４５２の外面に塵埃等が付着している場合であっても、塵埃等の像が投影画像内に映り込むことがなく投影画像を良好に維持できる。
【００３０】
なお、本発明は前述の実施形態に限定されるものではなく、本発明の目的を達成できる範囲での変形、改良等は本発明に含まれるものである。
前記実施形態では、調光装置本体４３１は、第１レンズアレイ４２２および第２レンズアレイ４２３の間に配設されていたが、その他の配設位置に配設しても構わない。例えば、投射レンズ３内部に調光装置本体４３１を配設しても構わない。この場合には、投射レンズ３内部に、前記実施形態で説明した反射ミラー４２１と同様の反射ミラーを設け、投射レンズ３外部にモータ４３２を配設し、反射ミラーを介して投射レンズ３内部に調光装置本体４３１を配設する構成とすることが好ましい。
【００３１】
前記実施形態では、調光装置本体４３１は、移動部材４３１２を備えていたが、これに限らず、移動部材４３１２を省略した構成としても構わない。この場合には、複数の遮光部材４３１３の各一端が上方側に位置し、各他端が下方側に位置するように配設することが好ましい。このように構成すれば、軸部材４３１１の回動が停止した際に、複数の遮光部材４３１３は、その自重により、各他端側が軸部材４３１１に近接する位置に戻ることとなる。
【００３２】
前記実施形態において、複数の遮光部材４３１３の数、複数の遮光部材４３１３の形状、軸部材４３１１に対する配設位置等は、前記実施形態で説明した形状および配設位置に限らない。
例えば、複数の遮光部材としては、略中央部分から両端部にかけて幅寸法が略同一となる形状を有していても構わない。
また、例えば、複数の遮光部材としては、軸部材４３１１に対して、照明光軸Ａを中心とする回転対称位置に各一端がそれぞれ取り付けられている構成に限らず、照明光軸Ａを中心とする回転方向に沿って各一端がそれぞれ取り付けられていればよい。
【００３３】
前記実施形態において、プロジェクタ１の構成は、前記実施形態で説明した構成に限らない。
例えば、光源装置４１は、放電発光型の光源装置で構成していたが、これに限らず、レーザダイオード、ＬＥＤ(Light Emitting Diode)、有機ＥＬ(Electro Luminescence)素子、シリコン発光素子等の各種固体発光素子を採用してもよい。
また、プロジェクタ１は、光変調装置としての反射型液晶パネル４５２を３つ備える三板式のプロジェクタで構成していたが、これに限らず、光変調装置を１つのみ備えるプロジェクタ、光変調装置を２つ備えるプロジェクタ、あるいは、光変調装置を４つ以上備えるプロジェクタとして構成しても構わない。
さらに、光変調装置として、反射型液晶パネル４５２を採用していたが、これに限らず、透過型の液晶パネルを採用してもよく、あるいは、ＤＭＤ(Digital Micromirror Device)(米国テキサスインスツルメント社の商標)等を採用してもよい。
また、プロジェクタ１は、スクリーンを観察する方向から投射を行うフロントタイプのプロジェクタとして構成していたが、これに限らず、スクリーンを観察する方向とは反対側から投射を行うリアタイプのプロジェクタにも適用可能である。
前記実施形態では、調光装置４３をプロジェクタ１に搭載した構成を説明したが、調光装置４３は、プロジェクタ１に限らず、その他の光学機器に搭載した構成を採用しても構わない。
【産業上の利用可能性】
【００３４】
本発明の調光装置は、簡素な構造で容易に製造できるため、プレゼンテーションやホームシアタ等に用いられるプロジェクタの調光装置に利用できる。
【図面の簡単な説明】
【００３５】
【図１】本実施形態におけるプロジェクタの概略構成を模式的に示す図。
【図２】前記実施形態における調光装置本体の構造を模式的に示す図。
【図３】前記実施形態における調光装置本体の構造を模式的に示す図。
【図４】前記実施形態における遮光部材の形状を模式的に示す図。
【符号の説明】
【００３６】
１・・・プロジェクタ、３・・・投射レンズ（投射光学装置）、４１・・・光源装置、４３・・・調光装置、４５２・・・反射型液晶パネル（光変調装置）、４３１１・・・軸部材、４３１２・・・移動部材、４３１３・・・遮光部材、Ａ・・・照明光軸。
【図１】
2009075216.tif 000003
【図２】
2009075216.tif 000004
【図３】
2009075216.tif 000005
【図４】
2009075216.tif 000006